【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
制御装置によって実装された、心室補助装置の回転子の回転速度を制御する方法であって、
前記制御装置により、前記回転子の前記回転速度を制御して、人為的拍動モードが、自然の生理的拍動の一時的な圧力変化速度を擬態する人為的拍動モードの血流をつくりだす第１の期間において、前記人為的拍動モードの前記回転子を作動させるステップ、
前記制御装置により、前記回転子の前記回転速度を制御して、前記回転子の作動を、前記人為的拍動モードから定常速度モードへと移行させるステップ、
前記制御装置により、前記回転子の前記回転速度を制御して、第２の期間において前記定常速度モードの前記回転子を作動させるステップ、
前記制御装置により、前記回転子の前記回転速度を制御して、前記回転子の作動を、前記定常速度モードから前記人為的拍動モードへと移行させるステップ、および
前記制御装置により、前記回転子の前記回転速度を制御して、第３の期間において前記人為的拍動モードの前記回転子を作動させるステップ
を含む、方法。
【請求項２】
前記人為的拍動モードにおいて前記回転子によりつくりだされた平均的な体積流量が、前記定常速度モードにおいて前記回転子によりつくりだされた平均的な体積流量と一致する、請求項１に記載の方法。
【請求項３】
前記制御装置により、前記定常速度モードにおいて前記回転子の利用者が設定した回転速度を受信するステップをさらに含む、請求項１に記載の方法。
【請求項４】
前記人為的拍動モードにおける前記回転子の前記作動が、
（ａ）第１の速度の期間における第１の回転速度での前記回転子の回転、
（ｂ）前記第１の回転速度から第２の回転速度への前記回転子の前記回転速度の減少、
（ｃ）第２の速度の期間における前記第２の回転速度での前記回転子の回転、
（ｄ）前記第２の回転速度から第３の回転速度への前記回転子の前記回転速度の減少、
（ｅ）第３の速度の期間における前記第３の回転速度での前記回転子の回転、および
ステップ（ａ）〜（ｅ）を繰り返すステップ
を含む、請求項３に記載の方法。
【請求項５】
前記定常速度モードにおける前記回転子の前記利用者が設定した回転速度に基づいて、前記制御装置により、前記人為的拍動モードの前記第２の回転速度が設定される、請求項４に記載の方法。
【請求項６】
前記人為的拍動モードの前記第２の回転速度が、前記定常速度モードにおける前記回転子の前記利用者が設定した回転速度と等しい、請求項５に記載の方法。
【請求項７】
前記人為的拍動モードの前記第１の回転速度、前記第３の回転速度、前記第１の速度の期間および前記第３の速度の期間が、前記人為的拍動モードのステップ（ａ）〜（ｅ）にわたって、前記定常速度モードにおいて前記回転子によりつくりだされた平均的な体積流量と一致する平均的な体積流量をつくりだす前記回転子をもたらす、請求項６に記載の方法。
【請求項８】
前記人為的拍動モードにおける前記回転子の前記作動が、
（ａ）第１の速度の期間における目標回転速度での前記回転子の回転
（ｂ）前記目標回転速度からの前記回転子の前記回転速度の減少、
（ｃ）前記目標回転速度からの前記回転子の前記回転速度の前記減少後、前記回転子の前記回転速度が増大して前記目標回転速度をオーバーシュートし、次いで前記目標回転速度まで減速し、そして第２の速度の期間において前記目標回転速度で維持される、前記回転子の前記回転速度の変化
を含む、請求項１に記載の方法。
【請求項９】
前記人為的拍動モードにおける前記回転子の前記作動が、
第１の流量期間において第１の流量をつくりだす前記回転子の回転、および
第２の流量をオーバーシュートして、次いで第２の流量期間において前記第２の流量をつくりだすように、前記第１の流量の生成から前記第２の流量の生成へと移行する前記回転子の前記回転速度の変化
を含む、請求項１に記載の方法。
【請求項１０】
心室補助装置システムであって、
心臓のポンピング機能を補助または代替するように構成された心室補助装置であって、第1のポンプ速度パターンおよび低い電力消費量を有する節電ポンプ速度パターンで作動可能な心室補助装置、および
前記心室補助装置と結合した制御装置であって、前記心室補助装置の作動を制御するように構成され、低電源状態の探知に応じて、前記心室補助装置の作動を制御して、前記第１のポンプ速度パターンでの作動から前記節電ポンプ速度パターンでの作動へ移行する制御装置
を含む、心室補助装置システム。
【請求項１１】
前記節電ポンプ速度パターンが、前記第１のポンプ速度パターンより低い電力消費量を有し、
前記節電ポンプ速度パターンにおいて、望ましい血圧変化速度がつくりだされない、請求項１０に記載の心室補助装置システム。
【請求項１２】
前記第１のポンプ速度パターンが、人為的拍動を発生させる、請求項１１に記載の心室補助装置システム。
【請求項１３】
前記制御装置が、制御入力の受信に応じて、前記心室補助装置の作動を制御して、前記節電速度パターンでの作動から前記第１のポンプ速度パターンでの作動へ移行する、請求項１０に記載の心室補助装置システム。
【請求項１４】
心室補助装置システムであって、
心臓のポンピング機能を補助または代替するように構成された心室補助装置であって、前記心室補助装置が人為的拍動モードおよび定常速度モードで作動可能であり、前記人為的拍動モードが自然の生理的拍動の一時的な圧力変化速度を擬態する人為的拍動モードの血流をつくりだす、心室補助装置、ならびに
前記心室補助装置と結合した制御装置であって、
前記心室補助装置の作動を制御し、
第１の入力の受信に応じて、前記心室補助装置の作動を制御して、前記人為的拍動モードでの作動から前記定常速度モードでの作動へ移行し、そして
第２の入力の受信に応じて、前記心室補助装置の作動を制御して、前記定常速度モードでの作動から前記人為的拍動モードでの作動へ移行する
ように構成された制御装置
を含む、心室補助装置システム。
【請求項１５】
前記制御装置がさらに、前記定常速度モードで前記心室補助装置を作動させるために、設定された速度の利用者の入力を受信するように構成される、請求項１４に記載の心室補助装置システム。
【請求項１６】
前記人為的拍動モードが、
（ａ）第１の目標速度の期間における目標ポンプ速度での前記心室補助装置の作動
（ｂ）前記目標速度からの前記心室補助装置の前記速度の減少、
（ｃ）前記心室補助装置の前記速度の減少後、前記心室補助装置の前記速度を増大させて前記目標速度をオーバーシュートすることにより、前記心室補助装置を前記目標速度へ戻すこと、およびその後の前記目標速度での前記心室補助装置の作動
を含む、請求項１４に記載の心室補助装置システム。
【請求項１７】
心室補助装置システムであって、前記心室補助装置システムは、
心臓のポンピング機能を補助または代替するように構成された心室補助装置であって、第1のポンプ速度パターンおよび第２のポンプ速度パターンで作動可能な心室補助装置、および
前記心室補助装置と結合し、第１の入力を受信するように構成された制御装置であって、前記第１の入力の受信に応じて、前記心室補助装置の作動を制御して、前記第１のポンプ速度パターンでの作動から前記第２のポンプ速度パターンでの作動へ移行する制御装置
を含み、
ここで、前記制御装置はさらに、第２の入力を受信するように構成され、前記第２の入力の受信に応じて、前記心室補助装置の作動を制御して、前記第２のポンプ速度パターンでの作動から前記第１のポンプ速度パターンでの作動へ移行する制御装置であり、
前記第１の入力および第２の入力が、利用者のコマンドである、心室補助装置システム。
【請求項１８】
前記第１のポンプ速度パターンおよび前記第２のポンプ速度パターンのうちのすくなくとも１つが定常速度モードである、請求項１７に記載の心室補助装置システム。
【請求項１９】
前記第１のポンプ速度パターンが、人為的拍動モードを含む、請求項１７に記載の心室補助装置システム。
【請求項２０】
前記人為的拍動モードが、
（ａ）第１の目標速度の期間における目標ポンプ速度での前記心室補助装置の作動、
（ｂ）前記目標速度からの前記心室補助装置の前記速度の減少、ならびに
（ｃ）前記心室補助装置の前記速度の減少後、前記心室補助装置の前記速度を増大させて前記目標速度をオーバーシュートすることにより、前記心室補助装置を前記目標速度へ戻すこと、およびその後の前記目標速度での前記心室補助装置の作動
を含む、請求項１９に記載の心室補助装置システム。
【請求項２１】
前記人為的拍動モードが、
第１の流量での前記心室補助装置の作動、ならびに
前記心室補助装置の速度を増大させて、第２の流量をオーバーシュートすることによる、前記心室補助装置の前記第１の流量から前記第２の流量への移行、およびその後の前記第２の流量での前記心室補助装置の作動
を含む、請求項１９に記載の心室補助装置システム。
【請求項２２】
心室補助装置システムであって、前記心室補助装置システムは、
心臓のポンピング機能を補助または代替するように構成された心室補助装置であって、第1のポンプ速度パターンおよび定常速度モードで作動可能な心室補助装置、および
前記心室補助装置と結合し、第１の入力を受信するように構成された制御装置であって、前記第１の入力の受信に応じて、前記心室補助装置の作動を制御して、前記第１のポンプ速度パターンでの作動から前記定常速度モードでの作動へ移行する制御装置
を含み、前記第１の入力が利用者または臨床医のコマンドである、心室補助装置システム。
【請求項２３】
前記第１のポンプ速度パターンが、人為的拍動モードを含む、請求項２２に記載の心室補助装置システム。
【請求項２４】
前記人為的拍動モードが、
（ａ）第１の目標速度の期間における目標ポンプ速度での前記心室補助装置の作動、
（ｂ）前記目標速度からの前記心室補助装置の前記速度の減少、ならびに
（ｃ）前記心室補助装置の前記速度の減少後、前記心室補助装置の前記速度を増大させて前記目標速度をオーバーシュートすることにより、前記心室補助装置を前記目標速度へ戻すこと、およびその後の前記目標速度での前記心室補助装置の作動
を含む、請求項２３に記載の心室補助装置システム。
【請求項２５】
前記人為的拍動モードが、
第１の流量での前記心室補助装置の作動、ならびに
前記心室補助装置の速度を増大させて、第２の流量をオーバーシュートすることによる、前記心室補助装置の前記第１の流量から前記第２の流量への移行、およびその後の前記第２の流量での前記心室補助装置の作動
を含む、請求項２３に記載の心室補助装置システム。